(57)【要約】【課題】エプロンに点検口を設けることなく、またエプロンを壊すことなく、浴槽下側機器を補修することができる浴槽設置構造及び機器補修方法を提供する【解決手段】浴室用防水パン１上に、浴槽１０が昇降装置４０により昇降可能に設置されている。昇降装置４０は、浴槽１０の底面に取り付けられたバッグ４１と、該バッグ４１に空気を注入するための空気注入ノズル４２とを備えている。バッグ４１は、浴槽１０の底面に沿って平たく折り畳まれている。浴槽下側機器を補修する場合、浴槽１０とエプロン４とのフランジ５，１２同士の間のコーキング９を切り、空気注入ノズル４２からバッグ４１内に空気を注入し、バッグ４１を膨張させる。この膨張したバッグ４１により浴槽１０が押し上げられる。補修終了後、バッグ４１から空気を抜き、浴槽１０を降下させる。【選択図】図１
2008148931.tif 000002
【特許請求の範囲】
【請求項１】
防水パン上に配置された浴槽と、
該浴槽を、水平状態を保ったまま昇降させる昇降装置とを備えてなり、
該昇降装置は、該浴槽の底面と前記防水パンとの間に配置されている浴槽設置構造において、
該昇降装置は、前記浴槽の底面に連結され、下方に向って拡大可能とされており、
非拡大時には該昇降装置と前記防水パンとの間に流水用スペースがあいており、
該昇降装置が下方に向って拡大すると、該昇降装置が該防水パンに当接し、浴槽が押し上げられることを特徴とする浴槽設置構造。
【請求項２】
防水パン上に配置された浴槽と、
該浴槽を、水平状態を保ったまま昇降させる昇降装置とを備えてなり、
前記浴槽は、上縁から側方に張り出すフランジを備えており、該フランジの下側に浴室のエプロンが設けられている浴槽設置構造において、
該フランジとエプロンとの間に前記昇降装置が設置されていることを特徴とする浴槽設置構造。
【請求項３】
請求項１又は２において、前記昇降装置は、流体が導入されることにより膨張するバッグよりなることを特徴とする浴槽設置構造。
【請求項４】
請求項１ないし３のいずれか１項において、前記浴槽の昇降をガイドするガイド部材が設けられていることを特徴とする浴槽設置構造。
【請求項５】
請求項４において、前記浴槽の底面から脚が突設されており、
前記ガイド部材は、前記防水パンに固定され、該脚が上方から挿入された筒状体よりなることを特徴とする浴槽設置構造。
【請求項６】
防水パン上に配置された浴槽と、
該防水パンと浴槽との間に配置された、該浴槽を上昇方向に付勢しており、該浴槽が無荷重にあるときには浴槽を押し上げ、浴槽に所定以上の荷重が負荷されたときには、押し縮められて浴槽を下降させるバネと、
該バネを押し縮め状態にロックするロック装置と、
該ロック装置のロックを解除するロック解除手段と
を備えてなることを特徴とする浴槽設置構造。
【請求項７】
請求項６において、前記ロック装置は、前記防水パン及び浴槽の一方に固設された固定係止体と、該固定係止体に対し係合姿勢と非係合姿勢とをとりうるように動作可能に該防水パン及び浴槽の他方に設けられた可動係止体とを備えており、
該可動係止体は、その少なくとも一部が磁性材料よりなり、前記浴槽の内部から磁石により動作可能とされていることを特徴とする浴槽設置構造。
【請求項８】
請求項１ないし７のいずれか１項に記載の浴槽設置構造の該浴槽の下側に配置された浴槽下側機器を補修する機器の補修方法であって、
該浴槽を上昇させて該機器を補修し、その後、浴槽を下降させることを特徴とする浴槽下側機器の補修方法。
【請求項９】
上縁から側方へ張り出すフランジを有する浴槽と、
該フランジの下側に設けられたエプロンと、
該フランジとエプロンの上端面との間の隙間を封止するコーキングと、
該浴槽の下側に配置された機器と
を有する浴槽設置構造の該機器を補修する方法であって、
該コーキングを切り、
前記隙間にバッグを差し込み、
次いで該バッグ内に流体を供給することにより該バッグを膨張させて浴槽を押し上げ、
該機器を補修し、
該バッグ内から流体を流出させることにより浴槽を下降させ、
該バッグを該隙間から取り出し、
該隙間をコーキングで封止する
ことを特徴とする浴槽下側機器の補修方法。
【発明の詳細な説明】
【技術分野】
【０００１】
本発明は、浴槽設置構造に係り、特に浴槽の下側の機器を容易に補修することが可能な浴槽設置構造に関する。また、本発明は、浴槽の下側の機器を補修する方法に関する。
【背景技術】
【０００２】
I．  浴槽下側機器の補修方法の従来技術
浴槽の下側にジェット用ポンプ（浴槽内に気泡混じりの水を噴出させるためのポンプ）等の機器を設置することがある。
【０００３】
ユニットバスにあっては、この機器の補修や点検等のために、エプロンに点検口を設け、該点検口に着脱可能に蓋を装着している。
【０００４】
在来工法による浴槽の場合には、エプロンを取り壊して補修せざるを得ない。
II．  浴槽を昇降させる従来技術
特開２００３−７０６６８の００２９〜００３０段落及び図６には、Ｘ字状リンクと油圧シリンダにより浴槽を水上下させる機構が記載されている。
【０００５】
実開平５−２０６９５には、浴槽の一端側を持ち上げて傾動させる機構が記載されている。
【特許文献１】特開２００３−７０６６８
【特許文献２】実開平５−２０６９５
【発明の開示】
【発明が解決しようとする課題】
【０００６】
エプロンに点検口が設けられていると、エプロンの意匠の自由度が低下する。
【０００７】
上記特開２００３−７０６６８には、浴槽を上昇させて浴槽下側機器を補修することについての記載はない。
【０００８】
なお、特開２００３−７０６６８の浴槽設置構造にあっては、浴槽の下側に浴槽排水や洗い場排水などが流れる場合、排水中のゴミ（例えば毛髪など）が昇降装置に引掛るおそれがある。
【０００９】
本発明は、エプロンに点検口を設けることなく、またエプロンを壊すことなく、浴槽下側機器を補修することができる浴槽設置構造及び機器補修方法を提供することを目的とする。
【課題を解決するための手段】
【００１０】
請求項１の浴槽設置構造は、防水パン上に配置された浴槽と、該浴槽を、水平状態を保ったまま昇降させる昇降装置とを備えてなり、該昇降装置は、該浴槽の底面と前記防水パンとの間に配置されている浴槽設置構造において、該昇降装置は、前記浴槽の底面に連結され、下方に向って拡大可能とされており、非拡大時には該昇降装置と前記防水パンとの間に流水用スペースがあいており、該昇降装置が下方に向って拡大すると、該昇降装置が該防水パンに当接し、浴槽が押し上げられることを特徴とするものである。
【００１１】
請求項２の浴槽設置構造は、防水パン上に配置された浴槽と、該浴槽を、水平状態を保ったまま昇降させる昇降装置とを備えてなり、前記浴槽は、上縁から側方に張り出すフランジを備えており、該フランジの下側に浴室のエプロンが設けられている浴槽設置構造において、該フランジとエプロンとの間に前記昇降装置が設置されていることを特徴とするものである。
【００１２】
請求項３の浴槽設置構造は、請求項１又は２において、前記昇降装置は、流体が導入されることにより膨張するバッグよりなることを特徴とするものである。
【００１３】
請求項４の浴槽設置構造は、請求項１ないし３のいずれか１項において、前記浴槽の昇降をガイドするガイド部材が設けられていることを特徴とするものである。
【００１４】
請求項５の浴槽設置構造は、請求項４において、前記浴槽の底面から脚が突設されており、前記ガイド部材は、前記防水パンに固定され、該脚が上方から挿入された筒状体よりなることを特徴とするものである。
【００１５】
請求項６の浴槽設置構造は、防水パン上に配置された浴槽と、該防水パンと浴槽との間に配置された、該浴槽を上昇方向に付勢しており、該浴槽が無荷重にあるときには浴槽を押し上げ、浴槽に所定以上の荷重が負荷されたときには、押し縮められて浴槽を下降させるバネと、該バネを押し縮め状態にロックするロック装置と、該ロック装置のロックを解除するロック解除手段とを備えてなることを特徴とするものである。
【００１６】
請求項７の浴槽設置構造は、請求項６において、前記ロック装置は、前記防水パン及び浴槽の一方に固設された固定係止体と、該固定係止体に対し係合姿勢と非係合姿勢とをとりうるように動作可能に該防水パン及び浴槽の他方に設けられた可動係止体とを備えており、該可動係止体は、その少なくとも一部が磁性材料よりなり、前記浴槽の内部から磁石により動作可能とされていることを特徴とするものである。
【００１７】
請求項８の浴槽下側機器の補修方法は、請求項１ないし７のいずれか１項に記載の浴槽設置構造の該浴槽の下側に配置された浴槽下側機器を補修する機器の補修方法であって、該浴槽を上昇させて該機器を補修し、その後、浴槽を下降させることを特徴とするものである。
【００１８】
請求項９の浴槽下側機器の補修方法は、上縁から側方へ張り出すフランジを有する浴槽と、該フランジの下側に設けられたエプロンと、該フランジとエプロンの上端面との間の隙間を封止するコーキングと、該浴槽の下側に配置された機器とを有する浴槽設置構造の該機器を補修する方法であって、該コーキングを切り、前記隙間にバッグを差し込み、次いで該バッグ内に流体を供給することにより該バッグを膨張させて浴槽を押し上げ、該機器を補修し、該バッグ内から流体を流出させることにより浴槽を下降させ、該バッグを該隙間から取り出し、該隙間をコーキングで封止することを特徴とするものである。
【発明の効果】
【００１９】
請求項１の浴槽設置構造にあっては、浴槽下側機器を補修するときには、昇降装置を下方に拡大させ、浴槽を押し上げる。これにより、浴槽周囲に開放空間が生じるので、この開放空間を介して機器を補修する。この浴槽設置構造によれば、エプロンに点検口を設ける必要がないため、意匠性がよい。
【００２０】
通常時には昇降装置を下方に向って拡大していない非拡大状態としている。この状態では、昇降装置と防水パンとの間に流水用スペースがあくため、防水パン上を水がスムーズに流れる。また、ゴミが該昇降装置に引掛ることも防止される。
【００２１】
請求項２の浴槽設置構造にあっては、昇降装置は浴槽のフランジとエプロンとの間に設けられているので、浴槽の下側に十分な流水用スペースが存在することになる。また、昇降装置にゴミ等が引掛ることもない。
【００２２】
なお、この昇降装置を作動させて浴槽を押し上げると、浴槽周囲に開放空間が生じるので、この開放空間を介して機器を補修する。
【００２３】
この請求項２の浴槽設置構造にあっても、エプロンに点検口を設ける必要がないため、意匠性がよい。
【００２４】
請求項３の浴槽設置構造は、昇降装置の構成が簡易である。
【００２５】
請求項４の浴槽設置構造によると、ガイド部材に案内されることにより、浴槽がスムーズに上下動する。また、機器補修後に浴槽を下降させる場合、浴槽を正確に元位置に戻すことができる。
【００２６】
請求項５の浴槽設置構造によると、浴槽の脚を筒状体でガイドするようにしており、ガイド部材の構造が簡易である。
【００２７】
請求項６の浴槽設置構造にあっては、ロック装置によるロックを解除すると、バネの力によって浴槽が押し上げられる。これにより、浴槽周囲に開放空間が生じるのでこの開放空間を介して機器を補修する。
【００２８】
この請求項６の浴槽設置構造にあっても、エプロンに点検口を設ける必要がないため、意匠性がよい。
【００２９】
この浴槽設置構造では、バッグやシリンダのような駆動機構付き押上装置が不要であり、電源や流体圧源が不要である。また、浴槽押し上げ機構が簡易である。
【００３０】
請求項７の浴槽設置構造によると、浴槽の内側から磁石によってロック解除操作を行うことができ、ロック解除操作を簡単に行うことができる。
【００３１】
請求項８，９の方法によると、エプロンに点検口を設けることなく、またエプロンを壊すこともなく、浴槽下側機器の補修を行うことができる。
【発明を実施するための最良の形態】
【００３２】
以下、図面を参照して本発明の実施の形態について説明する。
【００３３】
［第１の実施の形態］
第１図は第１の実施の形態に係る浴槽設置構造を示す断面図、第２図はこの浴槽設置構造の浴槽上昇時を示す断面図、第３図はこの浴槽設置構造における浴槽の下側からの斜視図、第４図はこの浴槽設置構造における脚及びガイド部材の係合状態を示す斜視図、第５図はこの脚及びガイド部材の分解斜視図、第６図は昇降装置のバッグへの空気注入用ノズルを示す断面図である。
【００３４】
浴室用防水パン１上に、浴槽１０が昇降装置４０により昇降可能に設置されている。
【００３５】
該浴室用防水パン１は、浴槽設置領域２と、洗い場領域３とを有している。なお、第１，２図では、これらの浴槽設置領域２と洗い場領域３とが一連に構成されているが、別体の浴槽側防水パンと洗い場側防水パンとを連結して浴室用防水パン１を構成してもよい。
【００３６】
この浴槽設置領域２を取り囲むように、該防水パン１上にエプロン４が立設されている。第１，２図に示すように、このエプロン４の上縁からは、該浴槽設置領域２の中央側へ向ってフランジ５が突設されている。
【００３７】
第１〜３図の通り、この実施の形態では、浴槽１０は和洋折衷浴槽であり、槽体１１と、該槽体１１の上縁から側方に張り出しており、該槽体１１を周回しているフランジ１２とを有している。第３図の符号１３は、該槽体１１の底面に設けられた排水口を示している。
【００３８】
該槽体１１の底面の四隅付近には、それぞれ、この浴槽１０を浴槽設置領域２上に略水平に支持するための脚２０が取り付けられている。
【００３９】
第４，５図に示すように、脚２０は、該槽体１１の底面に固定された上半体２１と、該上半体２１にレベル調整可能に連結された下半体２２とからなる。該上半体２１は、槽体１１の底面に沿って配置される略円盤状の浴槽支承部２３と、該浴槽支承部２３の下面から下方へ突設された雄ねじ部２４とを有している。該浴槽支承部２３は、槽体１１の底面に重ね合わされて、接着やビス留め等の固着手段により該槽体１１の底面に固着されている。
【００４０】
下半体２２は、略円盤状の支持ベース２５と、該支持ベース２５の上面から上方へ突設された円筒状部２６とを有している。該円筒状部２６の内周面には、上半体２１の雄ねじ部２４と螺合する雌ねじ部２６ａが周設されている。この円筒状部２６内に雄ねじ部２４が螺じ込まれることにより、上半体２１と下半体２２とが連結される。また、この雄ねじ部２４の円筒状部２６への螺じ込み量を調節することにより、浴槽１０のレベル調整及び水平出しが行われる。
【００４１】
この実施の形態では、昇降装置４０は、空気が注入されることにより膨張するバッグ４１と、該バッグ４１に空気を注入するための空気注入用ノズル４２（第６図）等を備えている。第６図の符号４３は、該バッグ４１と空気注入用ノズル４２とを繋ぐホースを示している。
【００４２】
第１図の通り、該バッグ４１は、槽体１１の底面に取り付けられており、非膨張時には、この槽体１１の底面に沿って平たく折り畳まれた状態とされている。折り畳まれたバッグ４１の厚みは、槽体１１の底面からの脚２０の突出高さよりも小さいものとなっている。また、このバッグ４１の膨張時の厚みは、第２図の通り、槽体１１の底面からの脚２０の突出高さよりも十分に大きなものとなる。このバッグ４１の材質としては、例えば、ゴムをコーティングした帆布などが挙げられる。
【００４３】
なお、この実施の形態では、浴槽１０を水平状態を保ったまま昇降させうるように、２個のバッグ４１，４１が槽体１１の長手方向に位置を異ならせて並列に配置されている。ただし、バッグ４１の個数及び配置はこれに限定されない。
【００４４】
第６図に示すように、この実施の形態では、エプロン４にノズル取付部６が形成されており、このノズル取付部６に空気注入用ノズル４２が取り付けられている。該ノズル取付部６は、エプロン４の前面から該浴槽設置領域２側へ凹陥した凹部よりなり、この凹部の奥面にノズル挿通孔７が設けられている。このノズル挿通孔７に空気注入用ノズル４２が挿通され、該ノズル４２の基端側にカシメ等が施されることにより、該ノズル４２がノズル取付部６内に固定されている。
【００４５】
バッグ４１への空気注入作業が行われていないときには、このノズル取付部６を覆うようにキャップ８が装着されている。
【００４６】
防水パン１の浴槽設置領域２には、浴槽１０の昇降をガイドするガイド部材３０が設置されている。この実施の形態では、ガイド部材３０は、該浴槽設置領域２上に配置される略円盤状のベース３１と、該ベース３１の上面から上方へ突設された円筒状部３２とを有している。この円筒状部３２の内径は、前述の脚２０の支持ベース２５の外径よりも大きなものとなっている。また、この円筒状部３２の上端側は、上方に向って拡開するテーパ部３３となっている。
【００４７】
この実施の形態では、４個のガイド部材３０が、槽体１１の底面における脚２０の配置に合わせて浴槽設置領域２上に配設されており、浴槽１０を浴槽設置領域２上に降下させたときに、各脚２０がそれぞれ対応するガイド部材３０に係合する。
【００４８】
各ガイド部材３０は、ベース３１が浴槽設置領域２の上面に接着あるいはビス留めされることにより、該浴槽設置領域２に固定されている。
【００４９】
浴槽１０を浴槽設置領域２に設置する場合には、予め、設置後の浴槽１０が略水平となるように各脚２０の高さを調節しておくと共に、空気注入用ノズル４２をノズル取付部６に取り付けておく。次いで、浴槽設置領域２を取り囲むエプロン４の内側に槽体１１を降下させ、各脚２０をそれぞれガイド部材３０に係合させる。このとき、浴槽１０のフランジ１２がエプロン４のフランジ５の上に重なる。その後、このフランジ５，１２同士の隙間を封止するようにコーキング９を施す。なお、このコーキング９の代わりに、フランジ５，１２同士の間に円形断面の発泡ガスケットやパッキン等の封止部材を配置して、これらの隙間を封止するようにしてもよい。あるいは、フランジ５，１２同士の間に、このような封止部材を配置し、さらにコーキング９で密封するようにしてもよい。
【００５０】
なお、浴槽１０の設置手順はこれに限定されない。例えば、先に浴槽１０を浴槽設置領域２上に配置してから、槽体１１を取り囲むようにエプロン４を設置するようにしてもよい。
【００５１】
このように構成された浴槽設置構造において、浴槽１０の下側に配置された浴槽設置領域２の排水トラップ（図示略）などの機器の補修を行う場合には、コーキング９を切って浴槽１０とエプロン４とを分離させ、エプロン４の側面のキャップ８を取り外して空気注入用ノズル４２に空気ポンプ等の空気注入手段（図示略）を接続し、各バッグ４１に空気を注入する。これにより、第２図の通り、各バッグ４１が浴槽１０と防水パン１との間で膨張し、浴槽１０を押し上げる。
【００５２】
このように、膨張した各バッグ４１によって浴槽１０が押し上げられると、浴槽１０とエプロン４の上縁との間に開放空間が生じる。この空間に作業員が手を差し込み、浴槽１０を持ち上げた後、浴槽下側機器の補修を行う。
【００５３】
浴槽下側機器の補修後、ノズル４２の排気バルブ（図示略）を操作して各バッグ４１から空気を抜く。これにより、各バッグ４１が萎んで浴槽１０が下降する。この際、浴槽１０から下方へ延出した各脚２０が、それぞれ対応するガイド部材３０に入り込む。これにより、浴槽１０が正確に元の位置に戻るようになる。なお、この実施の形態では、ガイド部材３０の円筒状部３２の上端側が、上方に向かって拡開するテーパ部３３となっているので、各脚２０は、このテーパ部３３に案内されてスムーズにガイド部材３０内に入り込む。
【００５４】
浴槽１０が下降し終えた後、フランジ５，１２間に再度コーキング９を施し、これらの間を封止する。なお、浴槽１０が下降し終えた後も、各バッグ４１から空気を抜き続け、各バッグ４１を槽体１１の底面に密着させる。
【００５５】
これにより、浴槽下側機器の補修作業が完了する。
【００５６】
この浴槽設置構造によれば、エプロン４に浴槽下側機器を点検するための点検口を設けることなく、且つエプロン４を壊すことなく、浴槽下側機器の補修作業を行うことができる。
【００５７】
この浴槽設置構造にあっては、昇降装置４０の各バッグ４１は、槽体１１の底面に取り付けられており、非膨張時には該槽体１１の底面に沿って平たく折り畳まれた状態となっている。第１図の通り、この非膨張状態の各バッグ４１の厚みは各脚２０の高さよりも小さいので、この非膨張状態の各バッグ４１と防水パン１との間には流水用スペースがあく。このため、該防水パン１上を水がスムーズに流れる。また、浴槽１０や洗い場排水中の毛髪などのゴミが各バッグ４１に引っ掛かることも防止される。
【００５８】
この実施の形態にあっては、空気が注入されることにより膨張するバッグ４１により浴槽１０を昇降させるので、昇降装置４０の構成が簡易である。
【００５９】
この実施の形態では、浴槽１０の各脚２０に係合して該浴槽１０の移動をガイドするガイド部材３０が設けられているので、浴槽１０の昇降がスムーズである。また、補修終了後に浴槽１０を下降させる場合、浴槽１０が正確に元の位置に戻る。
【００６０】
［第２の実施の形態］
第７図は第２の実施の形態に係る浴槽設置構造を示す断面図、第８図はこの浴槽設置構造の浴槽上昇時を示す断面図、第９図はこの浴槽設置構造におけるロック装置の上側からの斜視図、第１０図はこのロック装置の下側からの斜視図、第１１図は第９図のXI−XI線に沿う断面図、第１２図はこのロック装置の平面図、第１３図はこの浴槽設置構造における浴槽の下側からの斜視図、第１４図はこの浴槽設置構造における昇降装置のバネ及び固定係止体としての脚の斜視図、第１５図はこの脚にロック装置が連結されたロック状態を示す斜視図、第１６図はこのロック装置の非ロック状態を示す断面図、第１７図はこのロック装置のロック状態を示す断面図である。
【００６１】
この実施の形態では、前述の第１〜６図の浴槽設置構造において、内部に空気が注入されることにより膨張するバッグ４１を用いて浴槽１０を昇降させる昇降装置４０の代わりに、コイルスプリングよりなるバネ５１を用いて浴槽１０を上昇させる昇降装置５０が該浴槽１０の下側に設置された構成となっている。
【００６２】
このバネ５１は、防水パン１の浴槽設置領域２の上面と浴槽１０の槽体１１の底面との間に配置され、該浴槽１０を上昇方向に付勢している。このバネ５１は、浴槽１０に荷重が加えられていない状態のときには該浴槽１０を押し上げ、該浴槽１０に所定以上の荷重が加えられたときには、押し縮められて浴槽１０を降下させるバネ定数を有している。
【００６３】
昇降装置５０は、このバネ５１と、このバネ５１を押し縮め状態にロック解除可能にロックするロック装置５２とを有している。
【００６４】
該ロック装置５２は、防水パン１の浴槽設置領域２に固定設置された固定係止体としての脚２０Ａと、槽体１１の底面に配置された可動係止体５３と、該可動係止体５３を、脚２０Ａに対し係合姿勢と非係合姿勢とをとりうるように動作可能に、該槽体１１の底面に保持したホルダ５４等を備えている。
【００６５】
脚２０Ａは、第１〜６図の実施の形態における脚２０と同様に、上半体２１と、該上半体２１に対しレベル調整可能に連結された下半体２２とからなる。該上半体２１は、槽体１１の底面に沿って配置される略円盤状の浴槽支承部２３と、該浴槽支承部２３の下面から下方へ突設された雄ねじ部２４とを有している。この実施の形態では、該浴槽支承部２３の中央に、該浴槽支承部２３の直径方向に延在するスリット状の可動係止体挿通孔５４が設けられている。
【００６６】
なお、この実施の形態では、雄ねじ部２４は、軸心側に内孔２４ａを有した円筒状のものとなっている。この内孔２４ａの内径は、該可動係止体挿通孔５４と同等かそれよりも大きい。該可動係止体挿通孔５４は、この内孔２４ａに連通している。
【００６７】
この実施の形態でも、下半体２２は、略円盤状の支持ベース２５と、該支持ベース２５の上面から上方へ突設され、内周面に雌ねじ部２６ａが周設された円筒状部２６とを有しており、この円筒状部２６内に上半体２１の雄ねじ部２４が螺じ込まれている。
【００６８】
この実施の形態では、脚２０Ａは、防水パン１の浴槽設置領域２の上面に固定されている。即ち、この実施の形態では、下半体２２の支持ベース２５が浴槽設置領域２の上面に直に重ね合わされて接着やビス留め等の固着手段により固着されている。上半体２１の浴槽支承部２３は、槽体１１の底面に固着されていない。従って、浴槽１０がバネ５１によって押し上げられると、浴槽１０は脚２０Ａから分離して上昇する。
【００６９】
なお、この実施の形態でも、槽体１１の四隅付近を支えるように４個の脚２０Ａが浴槽設置領域２上に設置されている。
【００７０】
この実施の形態では、バネ５１は脚２０Ａを取り巻くように配置されている。このバネ５１の下端は浴槽設置領域２の上面に当接している。また、バネ５１は、全ての脚２０Ａに装着されている。
【００７１】
可動係止体５３は、この実施の形態では、水平方向に互いに平行に延在した１対の略棒状の水平方向延在部５３ａ，５３ｂと、この水平方向延在部５３ａ，５３ｂの長手方向の中間部同士を連結した軸部５３ｃとを有した略横向きＨ字形の部材となっている。
【００７２】
ホルダ５４は、この実施の形態では、略円盤状の外形を有している。このホルダ５４の中央付近には、その上面から下面側へ凹陥した凹所よりなる可動係止体保持部５４ａが形成されている。この可動係止体保持部５４ａの中央には軸部挿通孔５４ｂが設けられている。可動係止体５３は、一方の水平方向延在部５３ａがこの可動係止体保持部５４ａ内に収容され、軸部５３ｃが軸部挿通孔５４ｂに挿通されている。他方の水平方向延在部５３ｂは、ホルダ５４の下側に配置されている。該水平方向延在部５３ａは、軸部５３ｃを回動中心として可動係止体保持部５４ａ内で回動可能となっている。
【００７３】
該可動係止体保持部５４ａの底面から、水平方向延在部５３ａの端部の側面に当接してこの水平方向延在部５３ａの回動を規制する１対のストッパ５４ｃが突設されている。第１２図に示すように、水平方向延在部５３ａは、これらのストッパ５４ｃ，５４ｃにより、軸部５３ｃ回りに９０°の範囲内で回動しうるように規制されている。
【００７４】
この実施の形態では、可動係止体５３のうち、可動係止体保持部５４ａ内に収容された水平方向延在部５３ａが磁性材料よりなる。即ち、この実施の形態では、浴槽１０の内側から磁石（図示略）を用いて可動係止体５３を回動させることができるようになっている。
【００７５】
なお、可動係止体５３の残りの部分も磁性材料により構成されてもよい。また、可動係止体５３の全体が磁性材料により成形されたものであってもよく、あるいは、その一部が磁性材料で構成されてもよい。例えば、可動係止体５３自体は合成樹脂などの非磁性材料により構成され、少なくとも水平方向延在部５３ａの先端面に、磁性体を取り付けた構成であってもよい。
【００７６】
ホルダ５４は、その上面が槽体１１の底面に重ね合わされ、接着やビス留め等の固着手段により該槽体１１の底面に固着されている。
【００７７】
第１３図の通り、この実施の形態では、それぞれ可動係止体５３を保持した４個のホルダ５４が、浴槽設置領域２上の脚２０Ａの配置に合わせて槽体１１の底面に配設されており、浴槽１０が下降すると、これらホルダ５４がそれぞれ対応する脚２０Ａの浴槽支承部２３上に重なる。
【００７８】
ホルダ５４の下面の周縁部には、凹段部５４ｃが周設されており、第１６，１７図の通り、バネ５１の上端部がこの凹段部５４ｄに係合している。
【００７９】
この浴槽設置構造のその他の構成は、第１〜６図の浴槽設置構造と同様であり、第７〜１７図において第１〜６図と同一符号は同一部分を示している。
【００８０】
この実施の形態では、浴槽１０を設置する場合には、まず、防水パン１の浴槽設置領域２上に所定の配置にて脚２０Ａを設置すると共に、浴槽の槽体１１の底面に、この脚２０Ａと対応する配置にて、可動係止体５３を保持したホルダ５４を取り付ける。この際、各ホルダ５４の下側に配置された可動係止体５３の水平方向延在部５３ｂの延在方向が各脚２０Ａの浴槽支承部２３の可動係止体挿通孔５５の延在方向と合致するように、該水平方向延在部５３ｂを軸部５３ｃ回りに回動させる。次いで、各脚２０Ａを取り巻くようにバネ５１を設置し、各バネ５１の上端を各ホルダ５４の凹段部５４ｄに係合させるようにして浴槽１０を浴槽設置領域２の上方に配置する。
【００８１】
その後、この浴槽１０に作業者が乗るなどして、この浴槽１０に荷重を加える。これにより、バネ５１が押し縮められて浴槽１０が下降し、各脚２０Ａの浴槽支承部２３上にホルダ５４が重なる。この際、ホルダ５４の下側に配置された可動係止体５３の水平方向延在部５３ｂが、該浴槽支承部２３の可動係止体挿通孔５５に入り込む。
【００８２】
浴槽１０が下降し終えた後、浴槽１０の内側から磁石を用いて各可動係止体５３を９０°回動させる。これにより、水平方向延在部５３ｂの両端側が可動係止体挿通孔５５の側縁の裏側に回り込み、ホルダ５４が浴槽支承部２３から離反不能となる。この結果、バネ５１が押し縮め状態にロックされる。
【００８３】
その後、浴槽１０のフランジ１２とエプロン４のフランジ５との隙間を封止するようにコーキング９を施す。なお、前述の通り、このコーキング９の代わりに、フランジ５，１２同士の間に円形断面の発泡ガスケットやパッキン等の封止部材を配置して、これらの隙間を封止するようにしてもよい。あるいは、フランジ５，１２同士の間に、このような封止部材を配置し、さらにコーキング９で密封するようにしてもよい。
【００８４】
このように構成された浴槽設置構造において、浴槽下側機器の補修を行う場合には、コーキング９を切って浴槽１０とエプロン４とを分離させた後、浴槽１０の内側から磁石を用いて、各可動係止体５３をロック時と反対方向へ９０°回動させる。これにより、各可動係止体５３の水平方向延在部５３ｂが可動係止体挿通孔５５から抜け出し可能となってロック装置５２によるロックが解除され、バネ５１が浴槽１０を押し上げる。
【００８５】
このバネ５１によって浴槽１０が押し上げられた後、浴槽１０とエプロン４の上縁との間に生じた開放空間に作業員が手を差し込み、浴槽１０を持ち上げた後、浴槽下側機器の補修を行う。
【００８６】
浴槽下側機器の補修後、前述の浴槽設置時と同様の手順で浴槽１０を下降させ、ロック装置５２でバネ５１を押し縮め状態にロックする。その後、浴槽１０のフランジ１２とエプロン４のフランジ５との間に再度コーキング９を施す。これにより、浴槽下側機器の補修作業が完了する。
【００８７】
この浴槽設置構造にあっても、エプロン４に浴槽下側機器を点検するための点検口を設けることなく、且つエプロン４を壊すことなく、浴槽下側機器の補修作業を行うことができる。
【００８８】
また、この浴槽設置構造にあっては、ロック装置５２によるロックを解除すると、バネ５１の力によって浴槽が押し上げられる。従って、バッグやシリンダのような押上装置が不要であり、電源や流体圧源が不要である。また、浴槽押し上げ機構が簡易である。
【００８９】
さらに、この実施の形態では、浴槽１０の内側から磁石を用いてロック解除操作を行うことができるので、このロック解除操作を簡単に行うことができる。
【００９０】
この実施の形態では、バネ５１は、浴槽１０を支承する脚２０Ａを取り巻くように配置されているので、バネ５１がこの脚２０Ａに沿って伸縮する。このため、浴槽１０の昇降に際し、該浴槽１０を確実に元の位置に戻すことができる。
【００９１】
［別の浴槽下側機器の補修方法］
第１８，１９図は別の浴槽下側機器の補修方法を示す断面図であり、第１８図は浴槽を上昇させる前の状態を示し、第１９図は浴槽を上昇させた後の状態を示す断面図である。
【００９２】
この実施の形態では、前述の第１〜６図の浴槽設置構造において、昇降装置４０を省略して浴槽１０を防水パン１の浴槽設置領域に設置した構成となっている。
【００９３】
この実施の形態の浴槽設置構造のその他の構成は、第１〜６図と同様となっている。
【００９４】
この浴槽設置構造において、浴槽１０の下側の機器を補修する場合には、浴槽１０のフランジ１２とエプロン４のフランジ５との間のコーキングを切り、これらのフランジ５，１２同士の間に、内部に空気が注入されることにより膨張するバッグ６０を、平たく折り畳んだ状態で配置する。なお、第１８図は、このコーキングを切った後の時点を示している。
【００９５】
この実施の形態では、浴槽１０を、水平状態を保ったまま上昇させるために、浴槽１０の中心を挟んで互いに反対側となる位置（この実施の形態では、第１８，１９図における浴槽１０の左右両側）にそれぞれバッグ６０を配置している。
【００９６】
その後、各バッグ６０に空気を注入し、各バッグ６０を膨張させる。これにより、第１９図に示すように、浴槽１０のフランジ１２がこのバッグ６０によって押し上げられ、浴槽１０全体が上昇する。
【００９７】
浴槽１０が上昇すると、この浴槽１０とエプロン４の上縁との間に開放空間が生じるので、この開放空間を利用して浴槽下側機器の補修を行う。
【００９８】
機器の補修後、各バッグ６０から空気を抜く。これにより、各バッグ６０が萎み、浴槽１０が下降する。この実施の形態では、浴槽１０の下方から延出した脚２０がガイド部材３０に係合するので、浴槽１０を確実に元の位置に戻すことができる。
【００９９】
浴槽１０が下降し終えた後、浴槽１０のフランジ１２とエプロン４のフランジ５との間に再度コーキング９を施す。これにより、浴槽下側機器の補修作業が完了する。
【０１００】
この浴槽下側機器の補修方法にあっても、エプロン４に点検口を設けることなく、またエプロン４を壊すこともなく、浴槽下側機器の補修を行うことができる。
【０１０１】
また、この実施の形態では、内部に空気が注入されることにより膨張するバッグ６０で浴槽１０を昇降させるため、浴槽１０の昇降機構が簡易である。
【０１０２】
［浴槽設置構造及び浴槽下側機器の補修方法のその他の形態］
上記の浴槽設置構造及び浴槽下側機器補修方法は、いずれも本発明の一例を示すものであり、本発明は図示以外の形態もとりうる。
【０１０３】
例えば、上記の第１〜６図の実施の形態では、各バッグ４１を膨張させる場合、エプロン４の側面のノズル取付部６に取り付けられた空気注入用ノズル４２に空気ポンプ等を接続して各バッグ４１に空気を供給するよう構成しているが、エプロン４の内側に空気ポンプを設置しておき、この空気ポンプをエプロン４の外側から操作して各バッグ４１に空気を供給するよう構成してもよい。
【０１０４】
また、第１〜６図の実施の形態及び第１８，１９図の実施の形態では、それぞれ、空気が導入されることにより膨張するバッグ４１，６０を用いて浴槽１０を昇降させるよう構成しているが、空気以外の流体（例えば水や油など）が導入されることにより膨張するバッグを用いてもよい。
【０１０５】
第７〜１７図の実施の形態では、防水パン１の浴槽設置領域２に固定係止体としての脚２０Ａが設置され、浴槽１０に可動係止体５３が設置されているが、浴槽設置領域２に可動係止体５３が設置され、浴槽１０に固定係止体としての脚２０Ａが設置された構成としてもよい。
【０１０６】
第１８，１９図の実施の形態では、浴槽１０のフランジ１２とエプロン４のフランジ５との間のコーキング９を切った後、これらフランジ５，１２同士の間にバッグ６０を配置しているが、予め、これらのフランジ５，１２同士の間に、流体が導入されることにより膨張するバッグを介在させて、浴槽１０を設置するようにしてもよい。
【０１０７】
第１８，１９図の実施の形態では、浴槽１０を支承する脚２０Ａを取り巻くようにバネ５１が設けられているが、バネ５１の配置はこれに限定されるものではなく、脚２０Ａの無い位置にバネ５１を配置してもよい。この場合、浴槽１０の槽体１１の底面に可動係止体５３を保持したホルダ５４及び脚２０Ａを該可動係止体５３で係合させた状態で、該脚２０Ａを防水パン１の浴槽設置領域２上に接着固定し、該脚２０Ａが防水パン１と固着した後、バネ５１を組み込むことができる。
【図面の簡単な説明】
【０１０８】
【図１】第１の実施の形態に係る浴槽設置構造を示す断面図である。
【図２】図１の浴槽設置構造の浴槽上昇時を示す断面図である。
【図３】図１の浴槽設置構造における浴槽の下側からの斜視図である。
【図４】図１の浴槽設置構造における脚及びガイド部材の係合状態を示す斜視図である。
【図５】図４の脚及びガイド部材の分解斜視図である。
【図６】図１の浴槽設置構造における昇降装置のバッグへの空気注入用ノズルを示す断面図である。
【図７】第２の実施の形態に係る浴槽設置構造を示す断面図である。
【図８】図７の浴槽設置構造の浴槽上昇時を示す断面図である。
【図９】図７の浴槽設置構造におけるロック装置の上側からの斜視図である。
【図１０】図９のロック装置の下側からの斜視図である。
【図１１】図９のXI−XI線に沿う断面図である。
【図１２】図９のロック装置の平面図である。
【図１３】図７の浴槽設置構造における浴槽の下側からの斜視図である。
【図１４】図７の浴槽設置構造における昇降装置のバネ及び固定係止体としての脚の斜視図である。
【図１５】図７の脚にロック装置が連結されたロック状態を示す斜視図である。
【図１６】図７の浴槽設置構造におけるロック装置の非ロック状態を示す断面図である。
【図１７】図７の浴槽設置構造におけるロック装置のロック状態を示す断面図である。
【図１８】別の浴槽下側機器の補修方法における浴槽上昇前の断面図である。
【図１９】図１８の浴槽下側機器の補修方法における浴槽上昇後の断面図である。
【符号の説明】
【０１０９】
１  浴室用防水パン
２  浴槽設置領域
３  洗い場領域
４  エプロン
５  フランジ
６  ノズル取付部
８  キャップ
９  コーキング
１０  浴槽
１１  槽体
１２  フランジ
２０，２０Ａ  脚
３０  ガイド部材
４０  昇降装置
４１  バッグ
４２  空気注入ノズル
５０  昇降装置
５１  バネ
５２  ロック装置
５３  可動係止体
５４  ホルダ
５５  可動係止体挿通孔
６０  バッグ
【図１】
2008148931.tif 000003
【図２】
2008148931.tif 000004
【図３】
2008148931.tif 000005
【図４】
2008148931.tif 000006
【図５】
2008148931.tif 000007
【図６】
2008148931.tif 000008
【図７】
2008148931.tif 000009
【図８】
2008148931.tif 000010
【図９】
2008148931.tif 000011
【図１０】
2008148931.tif 000012
【図１１】
2008148931.tif 000013
【図１２】
2008148931.tif 000014
【図１３】
2008148931.tif 000015
【図１４】
2008148931.tif 000016
【図１５】
2008148931.tif 000017
【図１６】
2008148931.tif 000018
【図１７】
2008148931.tif 000019
【図１８】
2008148931.tif 000020
【図１９】
2008148931.tif 000021